(57)【特許請求の範囲】
【請求項１】
枠壁(１)と背壁(２)との主要部で構成し、枠壁(１)中央に形成した前枠面(３)の一方の横縁に山折線を介して延設した側枠面(４)の横外縁に山折線を介して側差込片(５)を延設し、前枠面(３)の他方の横縁はジグザク形状を成し、前記ジグザグ横縁の上向き縁を切り離して口縁(６)を形成し、前記ジグザグ横縁の下向き縁に山折線を介して延設した斜め枠面(７)の先縁に折線を介して斜め差込片(８)を延設し、該斜め差込片(８)の基部折線の中央を分断して前記斜め枠面(７)へ食い込む半円形の切り込みを入れて返し片(１４)を形成し、背壁(２)は山折線である袋折線(９)によって前板(１０)と背板(１１)とに区分され、背壁(２)に開けた縦溝(１２)に前記側差込片(５)を差し込み、前板(１０)に開けた複数の斜め溝(１３)に前記斜め差込片(８)を各々差し込み、前記背板(１１)の貼り合わせ面の両側に接着帯(１５)を設け、縦溝(１２)に近い方の接着帯(１５)は前記側差込片(５)を接着して差込状態を固定し、縦溝(１２)と遠い方の接着帯(１５)は前記背板(１１)の外側を接着し、背板(１１)を前板(１０)に貼り合わせる事で、側差込片(５)と複数の斜め差込片(８)とが背壁(２)に一度に固定される事を特徴とした斜め差込陳列枠。
【発明の詳細な説明】
【０００１】
【発明の属する技術分野】
本発明は、店頭で商品を陳列販売するのに用いる斜め差込陳列枠に関する。
【０００２】
【従来の技術】
従来の斜め差込陳列枠は、実公昭61-3422号ディスプレ用組立ケースで開示されている様に、支柱板１７に延設した傾斜前壁１６を折り起して側壁１５を突出させ、側壁１５の突出によって差込口１８が開口するという構造の物であった。
【０００３】
【発明が解決しようとする課題】
従来技術は、背壁に相当する支柱壁と枠壁に相当する傾斜前壁及び側壁共に同一素材であった事から、背壁を厚紙にし、枠壁を透明樹脂にしてシースルーにするなどの様に、別個の素材にする事はできなかった。本発明では、前記問題解決を目的とする。
【０００４】
【課題を解決するための手段】
上記目的を達成する為、枠壁と背壁とを別個に設け、枠壁の中央に設けた前枠面の一方の側辺に側枠面を介して延設した側差込片を背壁に形成した縦溝に差し込み、枠壁の他方の側辺はギザギザ形状を成し、前記ギザギザ縁の下向き縁に山折線を介して延設した斜め枠面の先縁に折線を介して延設した斜め差込片を、背壁の前板に開けた斜め溝に差し込み、背壁の袋折線を袋折して背板を前板の背面に沿わせて接着する事で側差込片と斜め差込片とを同時に接着して背壁に枠壁を取り付ける。
【０００５】
【発明の実施の形態】
本発明物の製造に用いる素材で、枠壁は、厚紙であっても良いが透明或いは半透明の人工樹脂である事が望ましく、背壁は、厚紙或いは段ボール紙を素材に用いて製造し、正面背面(前後)上下(天地)左右などの位置関係は組立完了状態で正面からを基準にして表示し、山折谷折で記述する折曲げ方向は外側からを基準にして表示する。
【０００６】
要部透視展開正面図の図１に於いて、枠壁１と背壁２との主要部で構成し、枠壁１の中央に設ける前枠面３は、一方の横縁は一本の直線で他方の横縁は斜め線が左右等間隔で交互に入れ替わって連結したジグザグ形状を成し、前枠面３の一方の横縁に山折線を介して延設した側枠面４を介して側差込片５を延設し、ジグザグ形状を成した前枠面３の他方の縁（ジグザグ縁）で外側に向けての上向き縁を切り離して口縁６を形成し、口縁６は直線であっても屈曲線であっても良いが、湾入曲線である事が望ましく、ジグザグ縁の下向き縁に山折線を介して延設した斜め枠面７の先縁に折線（差込片基部折線）を介して斜め差込片８を延設し、前記山谷の表示が無い折線だけの表示は山折線であっても谷折線であっても良い事を意味し、前記差込片基部折線の中央を分断して斜め枠面７へ食い込む半円形の切り込みを入れて返し片１４を形成する事が望ましく、
背壁２は、山折線である袋折線９によって前板１０と背板１１とに区分され、袋折線９は背壁２の中央を天地（縦）に縦断するのが望ましいのであるが、前板１０を背壁２の中央に位置付けて、前記前板１０の両側二箇所に設けても良く、背壁２の中央へ縦一直線の切込溝で縦溝１２を開け、前板１０の中央に斜め溝１３を開け、斜め溝１３は単数であっても良いが複数であって縦に整列して設ける事が望ましく、斜め溝１３の傾斜方向は縦溝１２側を低くし、前記斜め溝１３の傾斜角度は適宜であるが、四十度程度が望ましく、前記斜め溝１３は縦一列である事が望ましいのであるが、縦溝１２を中心とする線対称の二列であっても良く、斜め溝１３が二列で有するならば、斜め溝１３に差し込んで取り付ける枠壁１も又線対称で二箇所有する事と成り、前板１０と背板１１との貼り合せは、貼り合せ面全体に接着剤を塗布して行っても良いが、接着剤を節約する目的から背板１１の貼り合せ面（裏面）の両側に接着帯１５を設け、前記接着帯１５は液糊であっても良いが両面接着（粘着であっても良い）テープを用いる事が望ましく、縦溝１２に近い方の接着帯１５は側差込片５を接着して差込状態を固定し、縦溝１２と遠い方の接着帯１５は背板１１の外側を接着し、前記前板１０と背板１１との貼り合わせによって、多数有する斜め差込片８を斜め溝１３に差し込んだ状態で固定する事ができ、背板１１の両側に接着帯１５を形成する場合は斜め差込片８が接着されていないので引き抜ける恐れがあり、前記引き抜け事故の防止として返し片１４を形成しているのであるが、前記引き抜け事故防止策として斜め溝１３に凸縁を形成し、斜め差込片８の基部折線上に穴（基部穴）を開け、前記凸縁が基部穴に嵌まり込んで斜め差込片８の引き抜けを防止しても良い。
【０００７】
要部透視右正面斜視図の図２に於いて、前枠面３のジグザグ縁の下向き縁に延設した斜め枠面７を山折する事で前枠面３は正面に突き出され、口縁６が斜め枠面７と切り離されて形成された前枠面３と前板１０との空間を室１６とし、室１６は斜め枠面７によって上下に区分され、室１６に収納されて陳列販売される商品の底は側枠面４で塞き止められ、斜め枠面７の折り込み状態を固定する斜め差込片８は、斜め溝１３に差し込まれた後、前板１０と背板１１とに挟まれて固定され、斜め差込片８の折曲げ方向と反対方向に突出した返し片１４は斜め溝１３に引っ掛っているので、室１６に収納される商品の重みによって斜め枠面７が抜け出る恐れは無くなり、枠壁１は背壁２にしっかりと取り付けられる。
【０００８】
背壁開き背面斜視図の図３に於いて、斜め差込片８の折曲げ方向とは逆に返し片１４が突出して斜め溝１３に引っ掛っているので、斜め差込片８は差込片基部折線が折れ曲っている限り抜け落ちる恐れは無くなり、接着帯１５は前板１０と背板１１とのどちらに形成しても良いのであるが、背板１１に接着帯１５を形成する事にして説明するならば、背板１１の両側に形成された接着帯１５で縦溝１２に近い方は差し込まれた側差込片５を接着して抜け落ちるのを防止し、背板１１の外側に位置する接着帯１５は前板１０と背板１１との貼り合わせを強固にする役割を果たす。
【０００９】
左正面斜視図の図４に於いて、前枠面３の天縁は水平であって下端部は最下部の斜め枠面７の下部先端と垂直に伸びた側枠面４の下端部とが突き合わさった三角形状を成している事が望ましく、前枠面３は斜め枠面７と側枠面４との折り起しによって正面に突き出されて商品を収納する為の室１６を形成している。
【００１０】
【発明の効果】
枠壁と背壁とを別個に設けた事によって両者の素材を異にする事が可能と成り、背壁を厚紙にして枠壁を透明樹脂にする事でシースルーと成り、斜め枠面と側枠面との折り曲げによって前枠面は正面に突出して商品を収納する為の室を形成でき、前板と背板との貼り合わせによって、斜め差込片と側差込片とを一度に固定する事ができる。
【図面の簡単な説明】
【図１】要部透視展開正面図
【図２】要部透視右正面斜視図
【図３】背壁開き背面斜視図
【図４】左正面斜視図
【符号の説明】
１  枠壁
２  背壁
３  前枠面
４  側枠面
５  側差込片
６  口縁
７  斜め枠面
８  斜め差込面
９  袋折線
10  前板
11  背板
12  縦溝
13  斜め溝
【図１】
0004469448.tif 000002
【図２】
0004469448.tif 000003
【図３】
0004469448.tif 000004
【図４】
0004469448.tif 000005